(57)【要約】【課題】面倒な作業を経ること無く、所望する箇所のみに低コストで床暖房を装備することが可能な床暖房ユニットを提供すること。【解決手段】ヒーター本体７とヒーター本体７に電源を供給するための電源供給部１０を有したヒーター部６をフローリング材の下面に備えるとともにヒーター部６の下面に断熱材１３を備えたヒーターパネル２と、ヒーターパネル２を互いに接続可能な連結手段３を備え、ヒーター本体７は、発熱体８０１と発熱体８０１に形成した電極パターン８０２とを有した発熱部８と、発熱部８を被覆した絶縁体９とを具備し、電源供給部１０は電極パターン８０１に接続されたハーネス１１とハーネス１１に接続されたコネクタ１２を具備し、フローリング材４はその下面に前記コネクタ１２を収容可能な収容部４０１を有し、連結手段３は両端部をそれぞれ前記コネクタ１２に接続可能とした接続端子４０２を備えた。【選択図】図１
2007113862.tif 000002
【特許請求の範囲】
【請求項１】
フローリング材（４）と、該フローリング材（４）の下面に備えた、電気式のヒーター本体（７）と該ヒーター本体（７）に電源を供給するための電源供給部（１０）とを有したヒーター部（６）と、該ヒーター部（６）の下面に備えた断熱材（１３）と、を一体にしたヒーターパネル（２）と、
該ヒーターパネル（２）を互いに電気的に接続可能な連結手段（３）と、を備え、
前記連結手段（３）を介して複数枚の前記ヒーターパネル（２）を接続可能にした、ことを特徴とする床暖房ユニット。
【請求項２】
フローリング材（４）と、該フローリング材（４）の下面に備えた、電気式のヒーター本体（７）と該ヒーター本体（７）に電源を供給するための電源供給部（１０）とを有したヒーター部（６）と、該ヒーター部（６）の下面に備えた断熱材（１３）と、を一体にしたヒーターパネル（２）と、
該ヒーターパネル（２）を互いに電気的に接続可能な連結手段（３）と、を備え、
前記ヒーター本体（７）は、発熱体（８０１）と該発熱体（８０１）に形成した電極パターン（８０２）とを有した発熱部（８）と、該発熱部（８）を被覆した絶縁体（９）とを具備し、
前記電源供給部（１０）は、前記電極パターン（８０１）に接続されたハーネス（１１）と該ハーネス（１１）に接続されたコネクタ（１２）とを具備し、
前記フローリング材（４）は、その下面に、前記コネクタ（１２）を収容可能な収容部（４０１）を有し、
前記連結手段（３）は、両端部をそれぞれ前記コネクタ（１２）に接続可能とした接続端子（４０２）を備え、
前記連結手段（３）を介して複数枚の前記ヒーターパネル（２）を接続可能にした、ことを特徴とする床暖房ユニット。
【発明の詳細な説明】
【技術分野】
【０００１】
本発明は床暖房ユニットに係り、より詳しくは、面倒な作業を経ること無く、所望する箇所のみに短時間で床暖房を施工可能とした床暖房ユニットに関する。
【背景技術】
【０００２】
近年、床暖房を完備した家屋等が増えており、この床暖房の方法としては、一般的に、フローリング等の床面の下側にヒーターを配設する方法が採用されている。
【０００３】
即ち、このような床暖房は、例えば床下の根太間にヒーターを設置するとともにこのヒーターに電源を供給するための配線を施し、その後にヒーターの上にフローリング材等の床材を設置する方法であり、これによれば、床上にカーペット等を敷くこと無く、快適な生活空間を形成することが可能である。
【０００４】
しかしながら、このような設置方法による床暖房では、新築家屋等の場合は格別、既存の住宅等に設置する場合には費用と手間がかかるという問題点が考えられる。
【０００５】
即ち、このような設置方法による床暖房では、前述したように、フローリングの下にヒーターを備える構造であるために、これを設置する場合には、一旦、フローリングを外さなければならず、そのため、フローリングを外し、更にヒーターを設置した後に再びフローリングを取り付ける作業が必要となり、作業が煩雑になるとともに費用もかかるという問題点がある。
【０００６】
また、一般的に賃貸住宅の場合には、部屋を家主に返還する際には部屋の中等を元の状態に戻す必要があるが、この場合、借主が前述のような方法により床暖房を設置していた場合には、これを再び取り外さなければならず、更に手間と費用が必要となってしまう。
【０００７】
そこで、本出願人は過去において、面倒な作業を経ること無く、低コストで設置することが可能な床暖房用のキットを提案した。
【０００８】
即ち、この床暖房用キットは、フローリング等の床面に設置される断熱材と、この断熱材の上面に装着される電気式のヒーターと、この電気式のヒーターの上面に装着される金属製の薄板と、この金属製の薄板の上面に装着されるフローリング材とにより組み合わされることを特徴としており、この構成において、フローリング等の床面に断熱材を設置し、その後に、例えば両面テープ等を用いて、断熱材の上面に電気式のヒーターを装着し、その後に、両面テープ等を用いてこの電気式のヒーター上に金属製の薄板を装着し、そして最後に、この金属製の薄板にフローリング材を装着することのみで、既存のフローリングの上に床暖房を装備することができ、従って、この床暖房用キットを用いることにより、フローリング等の床材を取り外すこと無く床暖房を装備することが可能となる。
【特許文献１】特開２００３−２２２３４７号公報
【発明の開示】
【発明が解決しようとする課題】
【０００９】
しかしながら、前述の床暖房用キットを用いて床暖房を装備する場合においても、フローリング等の床面上に断熱材を設置し、その後、両面テープ等の接着手段を用いて、電気式ヒーター、金属製薄板及びフローリング材の順番で重ね合わしていくとともに、電気式ヒーターに電源を供給するための配線処理を施さなければならず、短時間で行うことは困難である。
【００１０】
また、床暖房の装備を望む箇所は必ずしも一様ではなく、部屋等の特定の箇所のみに床暖房の装備を欲する場合があるが、従来から提供されている床暖房装置ではその大きさが比較的大き目に決まっており、例えば狭い空間に床暖房を装備することを欲する場合にはその希望に対応することができなかった。
【００１１】
その反対、従来から提供されている床暖房装置１枚では対応できない広さに床暖房を装備する場合には、配線等が必要となり、その施工作業が煩雑にならざるを得ないとともに線の取り扱いも大変であるという問題がある。
【００１２】
そこで、本発明は、面倒な作業を経ること無く、所望する箇所のみに低コストでかつ短時間で床暖房を装備することが可能な床暖房ユニットを提供することを課題としている。
【課題を解決するための手段】
【００１３】
請求項１に記載の本発明の床暖房ユニットは、フローリング材と、該フローリング材の下面に備えた、電気式のヒーター本体と該ヒーター本体に電源を供給するための電源供給部とを有したヒーター部と、該ヒーター部の下面に備えた断熱材と、を一体にしたヒーターパネルと、
該ヒーターパネルを互いに電気的に接続可能な連結手段と、を備え、
前記連結手段を介して複数枚の前記ヒーターパネルを接続可能にした、ことを特徴としている。
【００１４】
また、請求項２に記載の本発明の床暖房ユニットは、フローリング材と、該フローリング材の下面に備えた、電気式のヒーター本体と該ヒーター本体に電源を供給するための電源供給部とを有したヒーター部と、該ヒーター部の下面に備えた断熱材と、を一体にしたヒーターパネルと、
該ヒーターパネルを互いに電気的に接続可能な連結手段と、を備え、
前記ヒーター本体は、発熱体と該発熱体に形成した電極パターンとを有した発熱部と、該発熱部を被覆した絶縁体とを具備し、
前記電源供給部は、前記電極パターンに接続されたハーネスと該ハーネスに接続されたコネクタとを具備し、
前記フローリング材は、その下面に、前記コネクタを収容可能な収容部を有し、
前記連結手段は、両端部をそれぞれ前記コネクタに接続可能とした接続端子を備え、
前記連結手段を介して複数枚の前記ヒーターパネルを接続可能にした、ことを特徴としている。
【発明の効果】
【００１５】
本発明の床暖房ユニットでは、フローリング材と、このフローリング材の下面
に備えたヒーター部と、このヒーター部の下面に備えた断熱材とを一体にしたヒーターパネルを備えており、このヒーターパネルを既存のフローリング等の上に設置するのみで床暖房を装備することができるため、短時間で容易に床暖房を装備することが可能である。
【００１６】
またそのとき、本発明の床暖房ユニットでは、ヒーターパネルを互いに電気的に接続可能な連結手段を備え、この連結手段を介して複数のヒーターパネルを接続することを可能としているため、施工箇所に応じた枚数のヒーターパネルを接続するのみで床暖房を施工でき、配線等の面倒な作業を行うこと無く、短時間で所望する空間に床暖房を装備することが可能となる。
【００１７】
更に、１枚の床暖房ユニットを小さめにすることで、従来の床暖房装置では施工が不可能であった狭い空間にも床暖房を装備することができる。
【発明を実施するための最良の形態】
【００１８】
本発明の床暖房ユニットは、ヒーターパネルとこのヒーターパネルを互いに電気的に接続するための連結手段とを有している。そして、ヒーターパネルは、フローリング材と、このフローリング材の下面に備えたヒーター部と、このヒーター部の下面に備えた断熱材とを一体にして構成されており、更に、ヒーター部は、電気式のヒーター本体と、このヒーター本体に電源を供給するための電源供給部とを有している。
【００１９】
そして、ヒーター本体は、電源を供給することにより発熱する発熱部と、この発熱部を被覆した絶縁体とを具備しており、発熱部は、導電性とした発熱体と、この発熱体に形成した電極パターンとを有している。
【００２０】
また、電源供給部は、前記電極パターンに接続されたハーネスと、このハーネスに接続されたコネクタとを具備しており、一方、前記フローリング材には、その下面に、前記コネクタを収容可能な収容部が形成されている。
【００２１】
そして、前記連結手段は、両端部をそれぞれ前記コネクタに接続可能とした接続端子を備えて構成されており、これにより、連結手段を介して、複数枚のヒーターパネルを互いに電気的に接続可能としている。
【実施例１】
【００２２】
本発明の床暖房ユニットの実施例について図面を参照して説明すると、図１は本実施例の床暖房ユニットの平面図であり、また図２は図１におけるＡ−Ａ線断面構造を示した図であり、図１において１が本実施例の床暖房ユニットである。
【００２３】
そして、本実施例の床暖房ユニット１は、フローリング等の床面上に設置されるヒーターパネル２と、このヒーターパネル２を、互いに、電気的に接続可能とした連結手段３とにより構成されている。
【００２４】
ここで、前記ヒーターパネル２の構成について説明すると、図２において４はフローリング材であり、本実施例におけるヒーターパネル２ではフローリング材４を備えており、このフローリング材４としては、いずれの素材としてもよいが、床面を構成するため、既存のフローリング材等を用いるとよい。なお、本実施例においてこのフローリング材４は、１メートル四方の略正方形状としている。
【００２５】
次に、図において５はアルミ箔であり、即ち、本実施例におけるヒーターパネル２では、フローリング材４の下面にアルミ箔５を備えており、これにより、ヒーターの保護等を可能としている。即ち、例えば除光液等の化粧水をフローリング材４上にこぼしてしまった場合には、この化粧水がフローリング材４を通り抜けてしまうが、このとき、フローリング材４の下側にヒーターを直接設置している場合には、この化粧水の影響でヒーターを傷めてしまうことが考えられる。そこで、本実施例においては、フローリング材４の下面にアルミ箔５による保護層を形成している。
【００２６】
次に、図において６はヒーター部であり、更に、１３はラバー製の断熱材である。即ち、本実施例におけるヒーターパネル２では、アルミ箔５を介して前記フローリング材４の下側にヒーター部６を備え、そのヒーター部６の下面に断熱材１３を備えた構成としている。なお、前記断熱材１３の素材は特に限定されず、断熱効果の認められる素材であればいずれを用いてもよい。
【００２７】
ここで、前記ヒーター部６について説明すると、図３は前記ヒーター部６の構造を示した断面図であり、本実施例において前記ヒーター部６は、電気式のヒーター本体７を有するとともに、このヒーター本体７の上面には、ヒーター本体７に電源を供給するための電源供給部１０を備えている。
【００２８】
そして、前記ヒーター本体７は、電源が供給されることにより発熱する発熱部８と、この発熱部８の全体を被覆した絶縁体９とにより構成されており、電源供給部１０は、ハーネス１１とこのハーネス１１に接続されたコネクタ１２とにより構成されている。
【００２９】
ここで、前記発熱部８とこの発熱部８に電源を供給するための電源供給部１１との関係を説明すると、図４は発熱部８と電源供給部１１との関係を説明するための図であり、前記絶縁体９を除いたヒーター部６の平面図としている。
【００３０】
そして、本実施例において前記発熱部８は、導電性とした発熱体シート８０１を有しており、この発熱体シート８０１における対向する両端近傍のそれぞれには一方の極となる一方側電極パターン８０２が形成され、更に、この２本の電極パターン８０２の間には、他方の極となる１本の他方側電極パターン８０２が形成されている。そして、この構成により、電極パターン８０２に電源を供給することにより、発熱体８０１にジュール熱を発生させて、発熱体８０２を面状に発熱させることを可能としている。なお、電極パターンは必ずしも３本にする必要はなく、発熱体シート８０１の対向する両端近傍のそれぞれにのみ電極パターンを形成してもよく、あるいは、発熱体８０１上に４本以上の電極パターンを形成してもよい。
【００３１】
次に、ヒーター本体７を構成する絶縁体９上には、前記電極パターン８０２と直交する方向に向けてハーネス１１が備えられている。そして、このハーネス１１は、前記電極パターン８０２と交差する箇所において電極パターン８０２に接続されるとともに、その両端側にはコネクタ１２が接続され、コネクタ１２を介してハーネス１１に電源を供給することにより、電極パターン８０１に電源が供給されて発熱体８０１を発熱可能としている。
【００３２】
一方、図１に示されるように、前記フローリング材４の下面において、前記コネクタ１２が対応する箇所には、フローリング材４を切り欠いて形成された収容部４０１が備えられており、これにより、コネクタ１２が障害となることなく、フローリング材４の下面にヒーター部６を配置することを可能としている。
【００３３】
なお、図４において８０３はヒューズであり、本実施例においては、前記ハーネス１１と電極パターン８０２との接続に際してヒューズ８０３を介しており、これにより安全性を確保している。
【００３４】
次に、前記連結手段３について説明すると、図５（Ａ）は前記コネクタ１２を平面から示した図であり、また（Ｂ）は前記連結手段３を平面から示した図であり、更に、図６（Ａ）、（Ｂ）はそれぞれ、図５（Ａ）（Ｂ）におけるＢ−Ｂ線、及びＣ−Ｃ線断面構造を示した図であり、本実施例において前記コネクタ１２は、コネクタ本体１２０１内に、雌側の接続端子１２０２を備えている。
【００３５】
一方、前記連結手段３は、樹脂製とした連結手段本体３０１内に、前記コネクタ１２の端子１２０２に接続可能な雄側の接続端子３０２を備えている。そして、連結手段３における接続端子３０２は、その両端のいずれも前記雌側の接続端子１２０２に接続可能にするとともに、その両端を互いに反対方向に向けて突出させており、これにより、コネクタ本体１２０１内の雌側接続端子１２０２に連結手段３の雄側接続端子３０２を差し込むのみで、ワンタッチで複数枚のヒーターパネル２を同一面上に連結させることを可能としている。
【００３６】
なお、本実施例における前記連結手段３では、接続端子３０２の突出方向にむいた両側に保護空間３０３を形成するとともに、この保護空間３０３内に接続端子３０２の先端が収容される構成とし、一方、前記コネクタ１２の先端部は前記保護空間３０３内に挿入可能な寸法にしている。そしてこれにより、連結手段３とコネクタ１２とを連結した場合に接続端子３０２が露出することを防止している。この関係を示した断面図が図７であり、図７では、連結手段３を用いて２枚のヒーターパネル２を連結する場合を示している。
【００３７】
次に、このように構成される本実施例の床暖房ユニット１の作用について説明すると、本実施例の床暖房ユニットで床暖房を施工する場合には、フローリング等の床面上に本実施例におけるヒーターパネル２を設置し、コネクタ１２に電源を接続するのみでよく、そして、１枚のヒーターパネルでは足りない場合には、連結手段３を用いて複数枚のヒーターパネルを連結するのみでよい。
【００３８】
このように、本実施例の床暖房ユニットでは、ヒーターパネルを床面に設置することのみで床暖房を施工することができるため、面倒な作業を経ることなく、しかも短時間で、既存の床面に床暖房を装備することが可能となり、６畳間の場合には約１０分で床暖房の施工を完了することが可能である。
【００３９】
そしてこのとき、本実施例の床暖房ユニットでは、ヒーターパネルを互いに電気的に接続可能な連結手段を備え、この連結手段を介して複数のヒーターパネルをワンタッチで接続することを可能としているため、施工箇所に応じた枚数のヒーターパネルを接続するのみで床暖房を施工でき、配線等の面倒な作業を行うこと無く、短時間で所望する空間に床暖房を装備することが可能となる。
【００４０】
また、１枚の床暖房ユニットを小さめにすることで、従来の床暖房装置では施工が不可能であった狭い空間にも床暖房を装備することができる。
【００４１】
なお、本実施例の床暖房ユニットは必ずしも家屋等の床暖房としてのみ用いられるものではなく、その他、例えば体育館等の床暖房にも使用可能であり、そのため、前記フローリング材、アルミ箔、ヒーター部、及び断熱材の形状寸法等は特に限定されず、設置する箇所等の広さ等に応じて任意である。
【００４２】
また、前述の実施例においては、１メートル四方の略正方形状のフローリング材を用いた場合を説明したが、フローリング材の形状、サイズは、必ずしも１メートル四方の略正方形状にする必要はなく、施工現場に応じた形状、サイズにするとよい。
【産業上の利用可能性】
【００４３】
本発明では、既存の床材上に床暖房を装備可能にするとともに、その際に、ヒーターパネルを設置するのみで床暖房を装備可能とし、更に複数のヒーターパネルをワンタッチで接続可能としているために、家屋用の床暖房装置に限らず、床暖房装置の全般に適用可能である。
【図面の簡単な説明】
【００４４】
【図１】本発明の床暖房ユニットの実施例の平面図である。
【図２】図２におけるＡ−Ａ線断面構造を示す図である。
【図３】本発明の床暖房ユニットの実施例におけるヒーター部の構造を示す断面図である。
【図４】本発明の床暖房ユニットの実施例における発熱部と電源供給部の関係を説明するための平面図である。
【図５】本発明の床暖房ユニットの実施例におけるコネクタと連結手段を説明するための平面図である。
【図６】本発明の床暖房ユニットの実施例におけるコネクタと連結手段の構造を説明するための断面図である。
【図７】本発明の床暖房ユニットの実施例におけるコネクタと連結手段の作用を説明するための図である。
【符号の説明】
【００４５】
１    床暖房ユニット
２    ヒーターパネル
３    連結手段
３０１    連結手段本体
３０２    接続端子
３０３    保護空間
４    フローリング材
４０１    収容部
５    保護層（アルミ箔）
６    ヒーター部
７    ヒーター本体
８    発熱部
８０１    発熱体
８０２    電極パターン
８０３    ヒューズ
９    絶縁体
１０    電源供給部
１１    ハーネス
１２    コネクタ
１３    断熱材
【図１】
2007113862.tif 000003
【図２】
2007113862.tif 000004
【図３】
2007113862.tif 000005
【図４】
2007113862.tif 000006
【図５】
2007113862.tif 000007
【図６】
2007113862.tif 000008
【図７】
2007113862.tif 000009